(57)【要約】【課題】コネクタプラグの挿入作業または抜去作業を容易かつ確実に行うことができ、その作業についての作業性向上が図れるようにする。【解決手段】コネクタジャックからコネクタプラグを抜去する際に用いられるコネクタ用治具であって、プラグ本体が嵌入された状態でプラグ本体を保持する保持部と、保持部へのプラグ本体の嵌入に伴ってラッチ爪をプラグ本体の側に押圧する傾斜面と、を備え、保持部には、プラグ本体に接続されるケーブルを通過させる開放部が設けられているように、コネクタ用治具を構成する。【選択図】図４
2017182981.tif 000002
【特許請求の範囲】
【請求項１】
プラグ本体と前記プラグ本体に付設されたロック用のラッチ爪とを備えるコネクタプラグについて、前記コネクタプラグが挿入されたコネクタジャックから当該コネクタプラグを抜去する際に用いられるコネクタ用治具であって、
前記プラグ本体が嵌入された状態で前記プラグ本体を保持する保持部と、
前記保持部への前記プラグ本体の嵌入に伴って前記ラッチ爪を前記プラグ本体の側に押圧する傾斜面と、を備え、
前記保持部には、前記プラグ本体に接続されるケーブルを通過させる開放部が設けられている
コネクタ用治具。
【請求項２】
プラグ本体と前記プラグ本体に付設されたロック用のラッチ爪とを備えるコネクタプラグについて、前記コネクタプラグが挿入されるコネクタジャックへ当該コネクタプラグを挿入する際に用いられるコネクタ用治具であって、
前記プラグ本体が嵌入された状態で前記プラグ本体を保持する保持部と、
前記保持部に嵌入された前記プラグ本体の端縁と係合する段差部と、を備え、
前記保持部には、前記プラグ本体に接続されるケーブルを通過させる開放部が設けられている
コネクタ用治具。
【請求項３】
請求項１に記載のコネクタ用治具と、請求項２に記載のコネクタ用治具とが、把持可能な連結部を介して一体に形成されてなる
コネクタ用治具。
【請求項４】
樹脂材料の成型加工品からなる
請求項１から３のいずれか１項に記載のコネクタ用治具。
【請求項５】
前記コネクタプラグがＬＡＮケーブル用のコネクタプラグである
請求項１から４のいずれか１項に記載のコネクタ用治具。
【発明の詳細な説明】
【技術分野】
【０００１】
本発明は、コネクタプラグを挿抜するために用いられるコネクタ用治具に関する。
【背景技術】
【０００２】
近年、情報処理機器、通信機器、制御機器等といった各種機器は、機器間をケーブルで接続して用いられることが多い。例えば、１００Ｇパケットトランスポートネットワーク（１００Ｇ−ＰＴＮ）を構築する高密度・高集積の伝送装置には、エンハンスドカテゴリー５（Ｃａｔ５Ｅ）に準拠したＬＡＮケーブルがコネクタ接続される。
【０００３】
コネクタ接続は、ケーブル端に装着されたコネクタプラグを機器に設けられたコネクタジャックへ挿入することによって行われる。また、保守作業時や機器交換作業時等には、コネクタジャックからのコネクタプラグの抜去が必要となる。このようなコネクタプラグの挿入作業または抜去作業（以下、これらを纏めて「挿抜作業」という。）は、作業者の人手（指先）でコネクタプラグに付設された脱落防止用のラッチ爪をつまみながら行うことが一般的であるが、例えば伝送装置には狭い空間内に多本数のＬＡＮケーブルが布設されるため、トングやハサミ等のような専用工具を用いて行うことも提案されている（例えば特許文献１参照）。
【先行技術文献】
【特許文献】
【０００４】
【特許文献１】特開平５−１４４５３９号公報
【発明の概要】
【発明が解決しようとする課題】
【０００５】
ところで、例えば伝送装置のように狭い空間内に多本数のＬＡＮケーブルが布設される場合には、隣接するコネクタ同士の間隔が非常に狭くなる。そのため、作業者の人手による挿抜作業では、作業スペースが狭いので容易に行えずに、相当の時間を要してしまうことが考えられる。専用工具を用いて行った場合であっても、その専用工具が大きいと、必ずしも狭いスペースでの作業を容易に行えるとは限らない。また、トングやハサミ等のような専用工具では、挿抜作業のやり方によってはコネクタプラグを覆うブーツやコネクタプラグに付設されたラッチ爪等の破損（例えば、ラッチ爪の折れ）を招いてしまうおそれがあり、その点で必ずしも作業者にとって使い易いとはいえない。
【０００６】
本発明は、狭スペースでの作業を必要とする場合であっても、コネクタプラグの挿入作業または抜去作業を容易かつ確実に行うことができ、その作業についての作業性向上が図れるコネクタ用治具を提供することを目的とする。
【課題を解決するための手段】
【０００７】
本発明の一態様によれば、
プラグ本体と前記プラグ本体に付設されたロック用のラッチ爪とを備えるコネクタプラグについて、前記コネクタプラグが挿入されたコネクタジャックから当該コネクタプラグを抜去する際に用いられるコネクタ用治具であって、
前記プラグ本体が嵌入された状態で前記プラグ本体を保持する保持部と、
前記保持部への前記プラグ本体の嵌入に伴って前記ラッチ爪を前記プラグ本体の側に押圧する傾斜面と、を備え、
前記保持部には、前記プラグ本体に接続されるケーブルを通過させる開放部が設けられている
コネクタ用治具が提供される。
【０００８】
また、本発明の他の一態様によれば、
プラグ本体と前記プラグ本体に付設されたロック用のラッチ爪とを備えるコネクタプラグについて、前記コネクタプラグが挿入されるコネクタジャックへ当該コネクタプラグを挿入する際に用いられるコネクタ用治具であって、
前記プラグ本体が嵌入された状態で前記プラグ本体を保持する保持部と、
前記保持部に嵌入された前記プラグ本体の端縁と係合する段差部と、を備え、
前記保持部には、前記プラグ本体に接続されるケーブルを通過させる開放部が設けられている
コネクタ用治具が提供される。
【発明の効果】
【０００９】
本発明によれば、狭スペースでの作業を必要とする場合であっても、コネクタプラグの挿入作業または抜去作業を容易かつ確実に行うことができ、その作業についての作業性向上を図ることが実現可能となる。
【図面の簡単な説明】
【００１０】
【図１】本発明に係るコネクタ用治具が用いられるコネクタ構造の概略構成例を示す説明図であり、（ａ）はコネクタジャックへのコネクタプラグの挿入状態を示す図、（ｂ）はコネクタプラグ単体の状態を示す図である。
【図２】本発明に係るコネクタ用治具の概略構成例を三角法による一組の六面図（正面図、背面図、左側面図、右側面図、平面図および底面図）で示す説明図である。
【図３】本発明に係るコネクタ用治具の概略構成例を斜視図によって示す説明図であり、（ａ）は左側面上方側からみた斜視図、（ｂ）は左側面下方側からみた斜視図、（ｃ）は右側面上方側からみた斜視図、（ｄ）は右側面下方側からみた斜視図である。
【図４】本発明に係るコネクタ用治具の要部の一つである抜去治具部の構成例を示す説明図であり、（ａ）は左側面上方側からみた斜視図、（ｂ）は側断面図である。
【図５】本発明に係るコネクタ用治具の要部の他の一つである挿入治具部の構成例を示す説明図であり、（ａ）は右側面上方側からみた斜視図、（ｂ）は側断面図である。
【図６】本発明に係るコネクタ用治具を用いて行うコネクタ挿入作業の手順の概要を示す説明図であり、（ａ）は挿入前の状態の側断面図、（ｂ）は挿入後の状態の側断面図である。
【図７】本発明に係るコネクタ用治具を用いて行うコネクタ抜去作業の手順の概要を示す説明図であり、（ａ）は抜去前の状態の側断面図、（ｂ）は抜去中の状態の側断面図、（ｃ）は抜去後の状態の側断面図である。
【図８】本発明に係るコネクタ用治具の他の概略構成例を示す説明図であり、（ａ）は一変形例を示す模式図、（ｂ）は他の変形例を示す模式図である。
【発明を実施するための形態】
【００１１】
以下、図面に基づき本発明に係るコネクタ用治具について説明する。
【００１２】
（１）コネクタの構成
先ず、本発明に係るコネクタ用治具が用いられるコネクタ構造について、具体例を挙げて説明する。ここでは、Ｃａｔ５Ｅに準拠したＬＡＮケーブルの接続に一般的に使用されているモジュラー式コネクタであるＲＪ−４５コネクタを具体例として挙げる。
【００１３】
図１は、本発明に係るコネクタ用治具が用いられるコネクタ構造の概略構成例を示す説明図である。
【００１４】
本実施形態で説明するコネクタ構造は、例えば、１００Ｇ−ＰＴＮを構築する伝送装置等の機器に対して、Ｃａｔ５Ｅに準拠したＬＡＮケーブルを接続するために用いられるもので、ＲＪ−４５コネクタとして広く一般に知られているものである。さらに具体的には、図１（ａ）に示すように、ＬＡＮケーブル１のケーブル端に装着されたコネクタプラグ２と、伝送装置等の機器側に設けられたコネクタジャック３と、を備えて構成されるものである。
【００１５】
コネクタプラグ２は、図１（ｂ）に示すように、樹脂材料によって挿抜方向から見た断面が方形状に形成されたプラグ本体２ａと、同じく樹脂材料によってプラグ本体２ａの一面に付設されたロック用のラッチ爪２ｂと、を備えて構成されている。プラグ本体２ａには、ＬＡＮケーブル１の芯線と導通する所定本数の接続ピンが配置される。また、ラッチ爪２ｂは、プラグ本体２ａの側に押圧することで弾性変形をするように形成されている。
【００１６】
コネクタジャック３は、図１（ａ）に示すように、樹脂材料や金属材料等によってコネクタプラグ２のプラグ本体２ａが挿入され得る形状に形成されたものである。そして、プラグ本体２ａが挿入された状態でラッチ爪２ｂに形成された段差部２ｃがコネクタジャック３の内部に形成された溝部３ａと係止し、これによりコネクタジャック３からのコネクタプラグ２の脱落（抜け）が防止されるようになっている。また、プラグ本体２ａの挿入状態においては、そのプラグ本体２ａにおける各接続ピンと、コネクタジャック３の側に配置された各接続ピンとの間で、電気的接続が確保されるようになっている。なお、コネクタジャック３からコネクタプラグ２を抜去する際には、ラッチ爪２ｂをプラグ本体２ａの側（図中矢印Ａ参照）に押圧して段差部２ｃと溝部３ａとの係止を解除した状態で、コネクタプラグ２を挿入方向とは逆方向（図中矢印Ｂ参照）に引き抜けばよい。
【００１７】
（２）コネクタ用治具の構成
次に、本発明に係るコネクタ用治具の構成について、具体例を挙げて説明する。
【００１８】
（コネクタ用治具の概略構成）
ここでは、先ず、コネクタ用治具の概略構成を簡単に説明する。
図２は、本発明に係るコネクタ用治具の概略構成例を三角法による一組の六面図で示す説明図である。図３は、本発明に係るコネクタ用治具の概略構成例を斜視図によって示す説明図である。
【００１９】
本実施形態で説明するコネクタ用治具１０は、コネクタジャック３からのコネクタプラグ２の抜去作業を行う際、またはコネクタジャック３へのコネクタプラグ２の挿入作業を行う際に用いられるものである。そのために、コネクタ用治具１０は、図２および図３に示すように、抜去作業用のコネクタ用治具として機能する抜去治具部２０と、挿入作業用のコネクタ用治具として機能する挿入治具部３０とを備えており、これら抜去治具部２０と挿入治具部３０とが作業者の人手で把持可能な連結部４０を介して一体に形成されている。
【００２０】
抜去治具部２０と挿入治具部３０とが一体に形成されていることから、コネクタ用治具１０には、抜去治具部２０と挿入治具部３０との識別を容易化するための識別マークを設けることが好ましい。具体的には、抜去治具部２０と挿入治具部３０とのそれぞれに対応して、例えば「Disconnect」や「Connect」といった文字マークや、抜去方向や挿入方向を示す矢印マーク等を、コネクタ用治具１０の表面に視認可能に設けることが考えられる。ただし、これらの文字マークや矢印マーク等に限られることはなく、抜去治具部２０と挿入治具部３０とを容易に識別可能であれば、他の識別マークを設けたり色識別することでも構わない。
【００２１】
また、コネクタ用治具１０については、作業者が把持する連結部４０に対して、その表面を凹凸状にする加工を施したり、手になじみやすいくびれた形状に形成したりすることが好ましい。このようにすれば、作業者にとって手に持って扱い易いものとなり、また外観上における美観の向上も期待できる。
【００２２】
このようなコネクタ用治具１０は、弾性および絶縁性を有する樹脂材料の成型加工品によって構成することが考えられる。樹脂材料の成型加工品であれば、抜去治具部２０と挿入治具部３０とが連結部４０を介して一体に形成されてなるコネクタ用治具１０の製造に適したものとなり、その製造コストを抑えられるからである。
【００２３】
コネクタ用治具１０を形成することになる樹脂材料については、ある程度の機械的強度や難燃性等を有していれば特に限定されるものではないが、例えばポリプロピレン（ＰＰ）やポリブチレンテレフタレート（ＰＢＴ）等を用いることが考えられる。
【００２４】
（コネクタ用治具の要部構成）
続いて、コネクタ用治具１０の要部構成について詳しく説明する。
コネクタ用治具１０の要部構成としては、抜去治具部２０の構成と、挿入治具部３０の構成とが挙げられる。以下、これらの各構成について順に説明する。
【００２５】
（抜去治具部の構成）
図４は、本発明に係るコネクタ用治具の要部の一つである抜去治具部の構成例を示す説明図である。
抜去治具部２０は、コネクタジャック３からのコネクタプラグ２の抜去作業を行う際に用いられる部分である。そのために、抜去治具部２０は、図４（ａ）および（ｂ）に示すように構成されている。
【００２６】
具体的には、抜去治具部２０は、コネクタプラグ２のプラグ本体２ａが嵌入される孔形状の嵌入孔２１ａを有した筒状部２１を備えている。プラグ本体２ａが嵌入される孔形状とは、嵌入孔２１ａの孔幅Ｗ１と孔高さＨ１とが断面方形状のプラグ本体２ａの各寸法と略合致するような形状のことをいう。つまり、嵌入孔２１ａは、少なくとも四つの内壁面２２，２５，２７を有して構成されており、これら四つの内壁面２２，２５，２７が嵌入孔２１ａ内に嵌入されたプラグ本体２ａを囲うように配置されている。筒状部２１の筒長Ｌ１は、後述するようにプラグ本体２ａを保持し得るものであれば、特に限定されるものではない。このように構成されることで、筒状部２１における嵌入孔２１ａは、プラグ本体２ａが嵌入された状態でそのプラグ本体２ａを保持する「保持部」として機能することになる。なお、筒状部２１における嵌入孔２１ａには、プラグ本体２ａが嵌入される側の端縁近傍に、当該嵌入を案内するための面取り部２１ｂを形成しておくことが考えられる。
【００２７】
嵌入孔２１ａを構成する一つの内壁面である上方側内壁面２２には、コネクタプラグ２のラッチ爪２ｂに対応する溝幅Ｗ２を有する溝部２３が形成されている。ラッチ爪２ｂに対応する溝幅Ｗ２とは、少なくともラッチ爪２ｂの横幅よりも大きい幅のことをいう。そして、溝部２３の溝底面の少なくとも一部には、嵌入孔２１ａへのプラグ本体２ａの嵌入に伴って、ラッチ爪２ｂをプラグ本体２ａの側に押圧するための傾斜面２４が形成されている。傾斜面２４は、ラッチ爪２ｂを押圧するためのものであるから、ラッチ爪２ｂが押圧されていない状態（すなわち非弾性変形状態）に対応する溝深さＤ１と、ラッチ爪２ｂが押圧されて段差部２ｃと溝部３ａとの係止が解除された状態（すなわち弾性変形状態）に対応する溝深さＤ２とについて、これらの間をつなぐような傾きを有している。
【００２８】
また、嵌入孔２１ａを構成する他の内壁面で上方側内壁面２２と対向する内壁面である下方側内壁面２５には、プラグ本体２ａに接続されるＬＡＮケーブル１が通過する幅Ｗ３のスリット部２６が貫設されている。ＬＡＮケーブル１が通過する幅Ｗ３とは、少なくともＬＡＮケーブル１の外径よりも大きい幅のことをいう。このように設けられたスリット部２６は、後述するように嵌入孔２１ａにプラグ本体２ａを嵌入させるのにあたり、そのプラグ本体２ａに接続されるＬＡＮケーブル１を通過させる「開放部」として機能することになる。
【００２９】
以上のように、抜去治具部２０は、筒状部２１における嵌入孔２１ａにプラグ本体２ａが嵌入され得るように構成されている。そして、プラグ本体２ａが嵌入されると、溝部２３によるラッチ爪２ｂの押圧により、嵌入孔２１ａに嵌入されたプラグ本体２ａは、その下面側がスリット部２６を除く下方側内壁面２５の側に押し付けられ、その下方側内壁面２５の面上に接する。ただし、下方側内壁面２５に設けられた突起部が存在する場合には、その突起部の頂部に接することになる。また、プラグ本体２ａが嵌入されると、嵌入孔２１ａの孔幅Ｗ１とプラグ本体２ａの幅寸法とが略合致することから、嵌入孔２１ａに嵌入されたプラグ本体２ａは、上方側内壁面２２および下方側内壁面２５を除く残りの両内壁面２７により、その側方側が挟持されることになる。
【００３０】
（挿入治具部の構成）
図５は、本発明に係るコネクタ用治具の要部の他の一つである挿入治具部の構成例を示す説明図である。
挿入治具部３０は、コネクタジャック３へのコネクタプラグ２の挿入作業を行う際に用いられる部分である。そのために、挿入治具部３０は、図５（ａ）および（ｂ）に示すように構成されている。
【００３１】
具体的には、挿入治具部３０は、コネクタプラグ２のプラグ本体２ａが嵌入される孔形状の嵌入孔３１ａを有した筒状部３１を備えている。嵌入孔３１ａの孔幅Ｗ１、孔高さＨ１、筒状部３１の筒長Ｌ１については、抜去治具部２０の場合と同様である。また、嵌入孔３１ａを構成する四つの内壁面３２，３５，３７についても、抜去治具部２０の場合と同様である。さらには、面取り部３１ｂの形成についても、抜去治具部２０の場合と同様である。このように構成されることで、筒状部３１における嵌入孔３１ａは、プラグ本体２ａが嵌入された状態でそのプラグ本体２ａを保持する「保持部」として機能することになる。
【００３２】
嵌入孔３１ａを構成する一つの内壁面である上方側内壁面３２には、コネクタプラグ２のラッチ爪２ｂに対応する溝幅Ｗ４を有する溝部３３が形成されている。ここでいうラッチ爪２ｂに対応する溝幅Ｗ４についても、抜去治具部２０における溝部２３の場合と同様に、少なくともラッチ爪２ｂの横幅よりも大きい幅のことである。ただし、抜去治具部２０の場合とは異なり、挿入治具部３０における溝部３３は、後述するように、ラッチ爪２ｂの押圧を要さず、単にラッチ爪２ｂのニゲとして機能するものであればよい。したがって、溝部３３の溝幅Ｗ４については、抜去治具部２０における溝部２３の溝幅Ｗ２よりも大きく形成したものであってもよい。また、ラッチ爪２ｂの押圧を要さず、単にラッチ爪２ｂのニゲとして機能すればよいことから、溝部３３は、ラッチ爪２ｂが押圧されていない状態（すなわち非弾性変形状態）に対応する溝深さＤ１に形成されたものであればよく、抜去治具部２０における溝部２３のような傾斜面２４を有している必要はない。
【００３３】
また、嵌入孔３１ａを構成する他の内壁面で上方側内壁面３２と対向する内壁面である下方側内壁面３５には、プラグ本体２ａに接続されるＬＡＮケーブル１が通過する幅Ｗ３のスリット部３６が貫設されている。ＬＡＮケーブル１が通過する幅Ｗ３は、抜去治具部２０におけるスリット部２６の場合と同様に、少なくともＬＡＮケーブル１の外径よりも大きい幅のことをいう。このように設けられたスリット部３６は、後述するように嵌入孔３１ａにプラグ本体２ａを嵌入させるのにあたり、そのプラグ本体２ａに接続されるＬＡＮケーブル１を通過させる「開放部」として機能することになる。
【００３４】
以上のように、挿入治具部３０は、筒状部３１における嵌入孔３１ａにプラグ本体２ａが嵌入され得るように構成されている。そして、プラグ本体２ａが嵌入されると、嵌入孔３１ａの孔幅Ｗ１とプラグ本体２ａの幅寸法とが略合致することから、嵌入孔３１ａに嵌入されたプラグ本体２ａは、上方側内壁面３２および下方側内壁面３５を除く残りの両内壁面３７により、その側方側が挟持されることになる。
【００３５】
さらに、嵌入孔３１ａの孔内には、上方側内壁面３２、下方側内壁面３５、これらを除く残りの両内壁面３７の少なくとも一つ（具体的には、例えば両内壁面３７のそれぞれ）に、プラグ本体２ａの端縁と係合する段差部３８が形成されている。これにより、嵌入孔３１ａに嵌入されたプラグ本体２ａは、その端縁が段差部３８と係合した状態、すなわちその端縁側が段差部３８によって支持された状態で、嵌入孔３１ａに保持されることになる。
【００３６】
（３）コネクタ挿抜作業の手順
次に、上述した構成のコネクタ用治具１０を用いて行うコネクタプラグ２の挿抜作業の手順について説明する。
【００３７】
（挿入作業の手順）
先ず、コネクタジャック３へのコネクタプラグ２の挿入作業の手順を説明する。
図６は、本発明に係るコネクタ用治具を用いて行うコネクタ挿入作業の手順の概要を示す説明図である。
【００３８】
コネクタ挿入作業にあたっては、図６（ａ）に示すように、挿入対象となるコネクタプラグ２のプラグ本体２ａを、挿入治具部３０を構成する筒状部３１における嵌入孔３１ａに嵌入させる。このとき、プラグ本体２ａに接続されたＬＡＮケーブル１が挿入治具部３０におけるスリット部３６を通過し、そのＬＡＮケーブル１が嵌入孔３１ａの孔内に位置するようにして、その状態で筒状部３１をプラグ本体２ａに向けて移動させれば、嵌入孔３１ａへのプラグ本体２ａの嵌入を容易に行うことができる。つまり、スリット部３６を利用しつつＬＡＮケーブル１に筒状部３１を案内させることで、プラグ本体２ａの後方側（すなわち、ＬＡＮケーブル１が接続された側）から挿入治具部３０が容易かつ確実に嵌め込まれることになる。
【００３９】
嵌入孔３１ａにプラグ本体２ａを嵌入させると、少なくとも嵌入孔３１ａを構成する両内壁面３７によりプラグ本体２ａが挟持され、嵌入孔３１ａによるプラグ本体２ａの保持力が働くことになる。つまり、プラグ本体２ａが嵌入されたコネクタプラグ２は、コネクタ用治具１０の挿入治具部３０によって保持された状態となる。なお、このとき、プラグ本体２ａのＬＡＮケーブル１が接続されている側の端縁は、嵌入孔３１ａの孔内に形成された段差部３８と係合した状態、すなわちその端縁側が段差部３８によって支持された状態にあるものとする。
【００４０】
コネクタプラグ２の保持のためには、コネクタ用治具１０の挿入治具部３０は、弾性を有する樹脂材料によって形成されていることが好ましい。弾性を有する材料によって形成されていれば、少なくともスリット部３６によって分断される両内壁面３７が、これらの間を広げる方向または狭める方向に弾性変形し得るようになる。したがって、両内壁面３７の間の寸法精度を必要以上に高精度化しなくても、両内壁面３７が確実にコネクタプラグ２のプラグ本体２ａを挟持することが可能となる。
【００４１】
その後は、コネクタプラグ２を保持した状態のコネクタ用治具１０を、そのコネクタプラグ２を挿入すべきコネクタジャック３に向けて移動させる（図中矢印Ｃ参照）。そして、保持状態にあるコネクタプラグ２をコネクタジャック３に差し込む。そうすると、プラグ本体２ａの端縁が段差部３８と係合した状態にあるので、その段差部３８によってプラグ本体２ａがコネクタ用治具１０の移動方向に押されることになり、そのコネクタ用治具１０の移動に伴ってコネクタプラグ２がコネクタジャック３へ挿入されることになる。
【００４２】
このとき、コネクタ用治具１０が絶縁性を有する樹脂材料によって形成されていれば、例えば挿入対象となるコネクタジャック３の近傍に他のコネクタジャック３が存在し、これらの間隔が非常に狭い場合であっても、コネクタ用治具１０に起因する電気的短絡等が生じてしまうおそれを排除することが可能となる。
【００４３】
コネクタプラグ２がコネクタジャック３内の所定位置まで挿入されると、図６（ｂ）に示すように、そのコネクタプラグ２のラッチ爪２ｂに形成された段差部２ｃがコネクタジャック３の内部に形成された溝部３ａと係止し、これによりコネクタジャック３からのコネクタプラグ２の脱落（抜け）が防止されることになる。したがって、段差部２ｃと溝部３ａとが係止した後に、コネクタ用治具１０をコネクタプラグ２の挿入方向とは逆方向に引き抜くと（図中矢印Ｄ参照）、コネクタプラグ２がコネクタジャック３に挿入された状態のまま、コネクタ用治具１０がコネクタプラグ２から離脱することになる。
【００４４】
以上のような手順で、コネクタ用治具１０を用いたコネクタプラグ２の挿入作業が行われる。
【００４５】
（抜去作業の手順）
次いで、コネクタジャック３からのコネクタプラグ２の抜去作業の手順を説明する。
図７は、本発明に係るコネクタ用治具を用いて行うコネクタ抜去作業の手順の概要を示す説明図である。
【００４６】
コネクタ抜去作業にあたっては、抜去対象となるコネクタプラグ２を、例えばそのコネクタプラグ２に付設されたラベル等によって確認した後、そのコネクタプラグ２のプラグ本体２ａに接続されたＬＡＮケーブル１が抜去治具部２０におけるスリット部２６を通過し、そのＬＡＮケーブル１が抜去治具部２０を構成する筒状部２１における嵌入孔２１ａの孔内に位置する状態にする。そして、その状態で、筒状部２１をＬＡＮケーブル１に沿わせつつコネクタプラグ２のプラグ本体２ａに向けて移動させる。これにより、抜去治具部２０の筒状部２１は、ＬＡＮケーブル１に案内されて、抜去対象となるコネクタプラグ２のプラグ本体２ａまで到達することになる。つまり、スリット部２６を利用することで、コネクタジャック３にコネクタプラグ２が挿入された状態であっても、筒状部２１における嵌入孔２１ａの孔内にコネクタプラグ２のプラグ本体２ａを嵌入させ得る位置にコネクタ用治具１０を容易に配置することができる。しかも、スリット部２６を利用してＬＡＮケーブル１に案内させることで、抜去対象ではないコネクタプラグ２を誤って抜去対象としてしまうのを未然に回避し得るようになる。
【００４７】
プラグ本体２ａに到達したら、図７（ａ）に示すように、さらに嵌入孔２１ａにプラグ本体２ａを嵌入させる方向に抜去治具部２０を移動させる（図中矢印Ｅ参照）。つまり、プラグ本体２ａの後方側（すなわち、ＬＡＮケーブル１が接続された側）から、抜去治具部２０の筒状部２１における嵌入孔２１ａへの嵌入を行うのである。このとき、コネクタプラグ２のラッチ爪２ｂに対応する位置に存在する溝部２３には、その溝底面に傾斜面２４が形成されている。したがって、嵌入孔２１ａにプラグ本体２ａを嵌入させると、これに伴って、ラッチ爪２ｂは、傾斜面２４によりプラグ本体２ａの側に向けて押圧されることになる。
【００４８】
そして、嵌入孔２１ａの奥側までプラグ本体２ａを嵌入させるように抜去治具部２０を移動させると、図７（ｂ）に示すように、ラッチ爪２ｂは、溝部２３の溝底面によってプラグ本体２ａの側に押圧され、これによりラッチ爪２ｂの段差部２ｃとコネクタジャック３の溝部３ａとの係止が解除された状態（すなわちラッチ爪２ｂの弾性変形状態）となる（図中Ｆ部分参照）。つまり、嵌入孔２１ａの上方側内壁面２２には溝部２３が形成されているとともに、その溝部２３には傾斜面２４が形成されているので、嵌入孔２１ａにコネクタプラグ２のプラグ本体２ａを嵌入させるだけで、これに伴ってラッチ爪２ｂがプラグ本体２ａの側に押圧されて、ラッチ爪２ｂによるコネクタジャック３との係止が解除されることになる。
【００４９】
ラッチ爪２ｂが弾性変形状態になると、そのラッチ爪２ｂに対する押圧力により、嵌入孔２１ａに嵌入されたプラグ本体２ａは、その下面側がスリット部２６を除く下方側内壁面２５の側に押し付けられる。また、嵌入孔２１ａにプラグ本体２ａを嵌入させると、少なくとも嵌入孔２１ａを構成する両内壁面２７によりプラグ本体２ａが挟持される。したがって、嵌入孔２１ａにプラグ本体２ａが嵌入すると、そのプラグ本体２ａが下方側内壁面２５の側に押し付けられるとともに、上方側内壁面２２および下方側内壁面２５を除く残りの両内壁面２７によりプラグ本体２ａが挟持されるので、嵌入孔２１ａによるプラグ本体２ａの保持力が働くことになる。この保持力は、下方側内壁面２５の側への押し付けによっても作用する分、挿入治具部３０による保持力よりも大きなものとなる。
【００５０】
コネクタプラグ２の保持のためには、コネクタ用治具１０の抜去治具部２０は、弾性を有する樹脂材料によって形成されていることが好ましい。弾性を有する材料によって形成されていれば、少なくともスリット部２６によって分断される両内壁面２７が、これらの間を広げる方向または狭める方向に弾性変形し得るようになる。したがって、両内壁面２７の間の寸法精度を必要以上に高精度化しなくても、両内壁面２７が確実にコネクタプラグ２のプラグ本体２ａを挟持することが可能となる。
【００５１】
また、コネクタ用治具１０が絶縁性を有する樹脂材料によって形成されていれば、例えば抜去対象となるコネクタプラグ２が挿入されたコネクタジャック３の近傍に他のコネクタジャック３が存在し、これらの間隔が非常に狭い場合であっても、コネクタ用治具１０に起因する電気的短絡等が生じてしまうおそれを排除することが可能となる。
【００５２】
その後は、コネクタプラグ２を保持した状態のコネクタ用治具１０を、図７（ｃ）に示すように、そのコネクタプラグ２をコネクタジャック３から抜去する方向（すなわち挿入方向とは逆方向）に向けて移動させる（図中矢印Ｇ参照）。このとき、コネクタ用治具１０に保持されたコネクタプラグ２は、ラッチ爪２ｂによる係止が解除された状態にある。さらに、コネクタ用治具１０においては、抜去治具部２０の筒状部２１における嵌入孔２１ａによるプラグ本体２ａの保持力が働いている。したがって、コネクタ用治具１０を引き抜く方向に移動させれば、そのコネクタ用治具１０の移動に伴って、コネクタジャック３からコネクタプラグ２が抜去されることになる。
【００５３】
以上のような手順で、コネクタ用治具１０を用いたコネクタプラグ２の抜去作業が行われる。
【００５４】
（４）本実施形態にかかる効果
本実施形態によれば、以下に示す１つまたは複数の効果を奏する。
【００５５】
（ａ）本実施形態においては、コネクタ用治具１０が抜去治具部２０を備えている。そして、抜去治具部２０は、プラグ本体２ａが嵌入される嵌入孔２１ａを備えており、その嵌入孔２１ａの下方側内壁面２５にＬＡＮケーブル１が通過する幅のスリット部２６が貫設されている。したがって、コネクタジャック３にコネクタプラグ２が挿入された状態であっても、スリット部２６を利用することで、筒状部２１をＬＡＮケーブル１に沿わせつつコネクタプラグ２のプラグ本体２ａに向けて移動させ、これにより嵌入孔２１ａにコネクタプラグ２のプラグ本体２ａを嵌入させ得る位置にコネクタ用治具１０を容易に配置することができる。しかも、スリット部２６を利用してＬＡＮケーブル１に案内させることで、抜去対象ではないコネクタプラグ２を誤って抜去対象としてしまうのを未然に回避し得るようになる。
また、抜去治具部２０における嵌入孔２１ａの上方側内壁面２２には、ラッチ爪２ｂに対応する溝幅の溝部２３が形成されているとともに、その溝部２３の溝底面の少なくとも一部にラッチ爪２ｂを押圧する傾斜面２４が形成されている。したがって、嵌入孔２１ａにコネクタプラグ２のプラグ本体２ａを嵌入させるだけで、これに伴ってラッチ爪２ｂがプラグ本体２ａの側に押圧されて、ラッチ爪２ｂによるコネクタジャック３との係止が解除されることになる。つまり、ラッチ爪２ｂの段差部２ｃとコネクタジャック３の溝部３ａとの係止を解除するにあたり、嵌入孔２１ａにプラグ本体２ａを嵌入させるだけでよく、他の操作や作業等を必要としない。
さらに、嵌入孔２１ａにプラグ本体２ａを嵌入させると、溝部２３によるラッチ爪２ｂの押圧により嵌入孔２１ａ内のプラグ本体２ａが下方側内壁面２５の側に押し付けられるとともに、上方側内壁面２２および下方側内壁面２５を除く残りの両内壁面２７によりプラグ本体２ａが挟持されるので、嵌入孔２１ａによるプラグ本体２ａの保持力が働くことになる。このとき、コネクタ用治具１０に保持されたコネクタプラグ２は、ラッチ爪２ｂによる係止が解除された状態にある。したがって、嵌入孔２１ａによるプラグ本体２ａの保持力が働き、かつ、ラッチ爪２ｂによる係止が解除された状態で、コネクタ用治具１０を引き抜く方向に移動させれば、そのコネクタ用治具１０の移動に伴って、コネクタジャック３からコネクタプラグ２が抜去される。つまり、嵌入孔２１ａにプラグ本体２ａを嵌入させた状態で、コネクタ用治具１０を引き抜く方向に移動させるだけで、コネクタジャック３からコネクタプラグ２が抜去されることになる。
以上のように、本実施形態においては、コネクタ用治具１０が抜去治具部２０を備えていることから、例えば狭スペースでの作業を必要とする場合であっても、コネクタジャック３からのコネクタプラグ２の抜去作業を容易かつ確実に行うことができ、その作業についての作業性向上を図ることができる。
【００５６】
（ｂ）本実施形態においては、コネクタ用治具１０が挿入治具部３０を備えている。そして、挿入治具部３０は、プラグ本体２ａが嵌入される嵌入孔３１ａを備えており、その嵌入孔３１ａの下方側内壁面３５にＬＡＮケーブル１が通過する幅のスリット部３６が貫設されている。したがって、コネクタプラグ２にＬＡＮケーブル１が接続された状態であっても、スリット部３６を利用することで、嵌入孔３１ａにコネクタプラグ２のプラグ本体２ａを嵌入させ得る位置にコネクタ用治具１０を容易に配置することができる。
また、嵌入孔３１ａにプラグ本体２ａを嵌入させると、少なくとも嵌入孔３１ａを構成する両内壁面３７によりプラグ本体２ａが挟持され、嵌入孔３１ａによるプラグ本体２ａの保持力が働くことになる。しかも、このとき、プラグ本体２ａのＬＡＮケーブル１が接続されている側の端縁は、嵌入孔３１ａの孔内に形成された段差部３８と係合した状態、すなわちその端縁側が段差部３８によって支持された状態にある。したがって、挿入治具部３０に保持された状態のコネクタプラグ２をコネクタジャック３に差し込むと、プラグ本体２ａの端縁が段差部３８と係合した状態にあるので、その段差部３８によってプラグ本体２ａが挿入治具部３０の移動方向に押されることになり、その挿入治具部３０の移動に伴ってコネクタプラグ２がコネクタジャック３へ挿入されることになる。
以上のように、本実施形態においては、コネクタ用治具１０が挿入治具部３０を備えていることから、例えば狭スペースでの作業を必要とする場合であっても、コネクタジャック３へのコネクタプラグ２の挿入作業を容易かつ確実に行うことができ、その作業についての作業性向上を図ることができる。
【００５７】
（ｃ）本実施形態においては、抜去治具部２０と挿入治具部３０とが作業者の人手で把持可能な連結部４０を介して一体に形成されている。このように、連結部４０を介して抜去治具部２０と挿入治具部３０とが一体に形成されてコネクタ用治具１０が構成されていれば、一つのコネクタ用治具１０でコネクタプラグ２の挿入作業と抜去作業との両方に対応することができ、作業者にとっては非常に便利なものとなる。
なお、抜去治具部２０と挿入治具部３０とが一体に形成されている場合には、本実施形態で説明したように、コネクタ用治具１０の表面に抜去治具部２０と挿入治具部３０とを識別するための識別マークを視認可能に設ければ、より一層作業者にとっての利便性を高めることができる。また、作業者が把持する連結部４０について、本実施形態で説明したように、その表面を凹凸状にする加工を施したり、手になじみやすいくびれた形状に形成したりすると、作業者が手に持って扱い易いものとなり、また外観上における美観の向上も期待できる。
【００５８】
（ｄ）本実施形態においては、コネクタ用治具１０が樹脂材料の成型加工品からなるので、コネクタ用治具１０が弾性および絶縁性を有するものとなり、しかも成型加工品からなるので製造コストを抑えて安価に形成することができる。
コネクタ用治具１０が樹脂材料のような弾性を有する材料によって形成されていれば、抜去治具部２０または挿入治具部３０のそれぞれにおいて、少なくともスリット部２６，３６によって分断される両内壁面２７，３７が、これらの間を広げる方向または狭める方向に弾性変形し得るようになる。したがって、両内壁面２７，３７の間の寸法精度を必要以上に高精度化しなくても、両内壁面２７，３７が確実にコネクタプラグ２のプラグ本体２ａを挟持することが可能となる。つまり、それぞれにおける嵌入孔２１ａ，３１ａにプラグ本体２ａの保持力を働かせる上で非常に好適なものとなる。
また、コネクタ用治具１０が樹脂材料のような絶縁性を有する材料によって形成されていれば、抜去治具部２０または挿入治具部３０のそれぞれにおいて、電気的短絡等が生じるおそれを排除することができる。つまり、例えば、作業対象となるコネクタジャック３の近傍に他のコネクタジャック３が存在し、これらの間隔が非常に狭い場合であっても、コネクタ用治具１０に起因する電気的短絡等が生じてしまうおそれを排除できるので、コネクタプラグ２の挿入作業または抜去作業の作業性や信頼性等の向上を図ることができる。
【００５９】
（ｅ）本実施形態においては、ＲＪ−４５コネクタのように、ＬＡＮケーブル１のケーブル端に装着されるコネクタプラグ２を、コネクタ用治具１０による作業対象としている。このようなコネクタプラグ２は、例えば伝送装置のように狭い空間内に多本数のＬＡＮケーブルが布設される場合に用いられることが多く、隣接するコネクタ同士の間隔が非常に狭くなるため、狭スペースでの作業を必要とする。その場合であっても、本実施形態のコネクタ用治具１０によれば、コネクタプラグ２の挿入作業または抜去作業を容易かつ確実に行うことができ、その作業についての作業性向上が図れる。つまり、本実施形態のコネクタ用治具１０は、特にＲＪ−４５コネクタのようなＬＡＮケーブル用のコネクタプラグの挿入作業または抜去作業に用いて非常に好適なものとなる。
【００６０】
（５）変形例等
以上に、本発明の実施形態を具体的に説明したが、本発明の技術的範囲は上述した実施形態に限定されるものではなく、その要旨を逸脱しない範囲で種々変更することが可能である。
【００６１】
例えば、上述した実施形態では、ＲＪ−４５コネクタのようなＬＡＮケーブル用のコネクタ挿抜作業を行う場合を例に挙げたが、本発明がこれに限定されることはなく、他の形式に準拠するコネクタ挿抜作業にも同様に適用することができる。
また、具体例として挙げたＲＪ−４５コネクタについても、図１等に示した形状のものに限定されるものではない。例えば、図１等ではラッチ爪２ｂが「くの字」に形成された場合を示しているが、ラッチ爪２ｂの形状がこれに限定されることはなく、直線状に形成されていてもよい。さらには、プラグ本体２ａにおける各接続ピンのピン数等についても、特に限定されるものではない。
【００６２】
また、例えば、上述した実施形態では、コネクタ用治具１０が抜去治具部２０と挿入治具部３０との両方を備えており、これらが一体に形成されている場合を例に挙げたが、本発明がこれに限定されることはなく、抜去治具部２０と挿入治具部３０とのいずれか一方のみを備えてコネクタ用治具を構成することも考えられる。
【００６３】
また、例えば、上述した実施形態では、抜去治具部２０および挿入治具部３０のそれぞれにおいて、プラグ本体２ａを保持する「保持部」として嵌入孔２１ａ，３１ａを備えるとともに、ＬＡＮケーブル１を通過させる「開放部」としてスリット部２６，３６が設けられている場合を例に挙げたが、本発明がこれに限定されることはなく、以下に述べるような構成とすることも考えられる。
図８は、本発明に係るコネクタ用治具の他の概略構成例を示す説明図である。なお、図例では、抜去治具部２０の構成例を示しているが、挿入治具部３０においても同様の構成を適用することが可能である。
【００６４】
図８（ａ）の構成例では、抜去治具部２０において、下方に延びる両側壁２８の下端がプラグ本体２ａに向けて曲げられており、それぞれの先端に当接面２９が設けられている。そして、各当接面２９がプラグ本体２ａの側方を両側から挟持することによって、プラグ本体２ａを保持するように構成されている。つまり、かかる構成例では、互いに対向する二つの当接面２９がプラグ本体２ａを保持する「保持部」として機能することになり、各当接面２９の間にプラグ本体２ａが嵌入される。各当接面２９には、プラグ本体２ａに対する保持力を向上させるために、ゴムシート等の高摩擦部材が貼付されていてもよい。また、プラグ本体２ａの嵌入にあたっては、そのプラグ本体２ａに接続するＬＡＮケーブル１が各当接面２９の間を通過する。つまり、各当接面２９に挟まれた空間がＬＡＮケーブル１を通過させる「開放部」として機能することになる。なお、かかる構成例では、プラグ本体２ａの保持にあたり、そのプラグ本体２ａの四方が囲われるわけではない。そのため、少なくとも傾斜面２４を備えていれば、ラッチ爪２ｂに対応する溝部については、必ずしも有している必要はない。このような構成例であっても、上述した実施形態の場合と同様に、コネクタプラグ２の抜去作業の作業性向上を図ることができる。挿入治具部３０による挿入作業についても同様である。
【００６５】
図８（ｂ）の構成例では、抜去治具部２０において、両側壁２８の下方側の内壁面に当接面２９が設けられている。そして、各当接面２９がプラグ本体２ａの側方を両側から挟持することによって、プラグ本体２ａを保持するように構成されている。それ以外は、図８（ａ）の構成例の場合と同様である。このような構成例であっても、上述した実施形態の場合または図８（ａ）の構成例の場合と同様に、コネクタプラグ２の抜去作業の作業性向上を図ることができる。挿入治具部３０による挿入作業についても同様である。
【００６６】
また、例えば、上述した実施形態では、コネクタ用治具１０が弾性および絶縁性を有する樹脂材料の成型加工品からなる場合を例に挙げたが、本発明がこれに限定されることはなく、他の材料によってコネクタ用治具を形成したものであっても構わない。
【００６７】
（６）本発明の好ましい態様
以下に、本発明の好ましい態様について付記する。
【００６８】
［付記１］
本発明の一態様によれば、
プラグ本体と前記プラグ本体に付設されたロック用のラッチ爪とを備えるコネクタプラグについて、前記コネクタプラグが挿入されたコネクタジャックから当該コネクタプラグを抜去する際に用いられるコネクタ用治具であって、
前記プラグ本体が嵌入された状態で前記プラグ本体を保持する保持部と、
前記保持部への前記プラグ本体の嵌入に伴って前記ラッチ爪を前記プラグ本体の側に押圧する傾斜面と、を備え、
前記保持部には、前記プラグ本体に接続されるケーブルを通過させる開放部が設けられている
コネクタ用治具が提供される。
【００６９】
［付記２］
好ましくは、
前記保持部として、前記プラグ本体が嵌入される嵌入孔を備え、
前記嵌入孔は、互いに対向する少なくとも二つの内壁面を備えており、
前記二つの内壁面のうちの一つの内壁面には、前記ラッチ爪に対応する溝幅を有する溝部が形成され、
前記溝部の溝底面の少なくとも一部には、前記傾斜面が形成されており、
前記二つの内壁面のうちの他の内壁面には、前記開放部として、前記プラグ本体に接続されるケーブルが通過する幅のスリット部が貫設され、
前記嵌入孔に前記プラグ本体が嵌入された状態で前記嵌入孔が前記プラグ本体を保持するように構成されている
付記１に記載のコネクタ用治具が提供される。
【００７０】
［付記３］
好ましくは、
前記溝部による前記ラッチ爪の押圧により前記嵌入孔内に嵌入された前記プラグ本体を前記他の内壁面の側へ押し付けることで、前記嵌入孔が前記プラグ本体を保持するように構成されている
付記２に記載のコネクタ用治具が提供される。
【００７１】
［付記４］
好ましくは、
前記嵌入孔は、前記二つの内壁面に加えて、さらに他の二つの内壁面を備え、合わせて四つの内壁面が前記嵌入孔内に嵌入された前記プラグ本体を囲うように配置されており、
前記他の二つの内壁面により前記嵌入孔内に嵌入された前記プラグ本体を挟持することで、前記嵌入孔が前記プラグ本体を保持するように構成されている
付記２または３に記載のコネクタ用治具が提供される。
【００７２】
［付記５］
好ましくは、
前記保持部として、互いに対向する二つの当接面を備えており、
前記二つの当接面により前記嵌入孔内に嵌入された前記プラグ本体を挟持することで、前記保持部が前記プラグ本体を保持するように構成されている
付記１に記載のコネクタ用治具が提供される。
【００７３】
［付記６］
本発明の他の態様によれば、
プラグ本体と前記プラグ本体に付設されたロック用のラッチ爪とを備えるコネクタプラグについて、前記コネクタプラグが挿入されるコネクタジャックへ当該コネクタプラグを挿入する際に用いられるコネクタ用治具であって、
前記プラグ本体が嵌入された状態で前記プラグ本体を保持する保持部と、
前記保持部に嵌入された前記プラグ本体の端縁と係合する段差部と、を備え、
前記保持部には、前記プラグ本体に接続されるケーブルを通過させる開放部が設けられている
コネクタ用治具が提供される。
【００７４】
［付記７］
好ましくは、
前記保持部として、前記プラグ本体が嵌入される嵌入孔を備え、
前記嵌入孔は、互いに対向する少なくとも二つの内壁面を備えるとともに、孔内に前記段差部が形成されており、
前記二つの内壁面のうちの一つの内壁面には、前記ラッチ爪に対応する溝幅を有する溝部が形成され、
前記二つの内壁面のうちの他の内壁面には、前記開放部として、前記プラグ本体に接続されるケーブルが通過する幅のスリット部が貫設され、
前記嵌入孔に前記プラグ本体が嵌入された状態で前記嵌入孔が前記プラグ本体を保持するように構成されている
付記６に記載のコネクタ用治具が提供される。
【００７５】
［付記８］
好ましくは、
前記嵌入孔は、前記二つの内壁面に加えて、さらに他の二つの内壁面を備え、合わせて四つの内壁面が前記嵌入孔内に嵌入された前記プラグ本体を囲うように配置されているとともに、前記四つの内壁面の少なくとも一つに前記段差部が形成されており、
前記他の二つの内壁面により前記嵌入孔内に嵌入された前記プラグ本体を挟持することで、前記嵌入孔が前記プラグ本体を保持するように構成されている
付記７に記載のコネクタ用治具が提供される。
【００７６】
［付記９］
好ましくは、
前記保持部として、互いに対向する二つの当接面を備えており、
前記二つの当接面により前記嵌入孔内に嵌入された前記プラグ本体を挟持することで、前記保持部が前記プラグ本体を保持するように構成されている
付記６に記載のコネクタ用治具が提供される。
【００７７】
［付記１０］
本発明のさらに他の態様によれば、
付記１から５のいずれかに記載のコネクタ用治具と、付記６から９のいずれかに記載のコネクタ用治具とが、把持可能な連結部を介して一体に形成されてなる
コネクタ用治具が提供される。
【００７８】
［付記１１］
好ましくは、
樹脂材料の成型加工品からなる
付記１から１０のいずれかに記載のコネクタ用治具が提供される。
【００７９】
［付記１２］
好ましくは、
前記コネクタプラグがＬＡＮケーブル用のコネクタプラグである
付記１から１１のいずれかに記載のコネクタ用治具が提供される。
【００８０】
［付記１３］
好ましくは、
弾性材料によって形成されている
付記１から１２のいずれかに記載のコネクタ用治具が提供される。
【００８１】
［付記１４］
好ましくは、
絶縁材料によって形成されている
付記１から１３のいずれかに記載のコネクタ用治具が提供される。
【符号の説明】
【００８２】
１…ＬＡＮケーブル、２…コネクタプラグ、２ａ…プラグ本体、２ｂ…ラッチ爪、３…コネクタジャック、１０…コネクタ用治具、２０…抜去治具部、２１…筒状部、２１ａ…嵌入孔（保持部）、２２…上方側内壁面、２３…溝部、２４…傾斜面、２５…下方側内壁面、２６…スリット部（開放部）、２７…両内壁面、２９…当接面（保持部）、３０…挿入治具部、３１…筒状部、３１ａ…嵌入孔、、３２…上方側内壁面、３３…溝部、３５…下方側内壁面、３６…スリット部、３７…両内壁面、３８…段差部、４０…連結部
【図１】
2017182981.tif 000003
【図２】
2017182981.tif 000004
【図３】
2017182981.tif 000005
【図４】
2017182981.tif 000006
【図５】
2017182981.tif 000007
【図６】
2017182981.tif 000008
【図７】
2017182981.tif 000009
【図８】
2017182981.tif 000010